(57)【要約】【課題】着用物品の着用中におけるずれ下がりを防止すること。【解決手段】ウエスト開口を画成する前後側ウエスト域を互いに解除可能に連結する締結手段２を備える。締結手段２は、後側ウエスト域の側部に配置される係合ファスナー６Ａと、前側ウエスト域の側部に配置される受止ファスナー６Ｂとからなり、係合ファスナー６Ａが挿入部２４と係合部２２とを有し、受止ファスナー６Ｂが、挿入部２４が出入するポケット部２６とその外面に形成され係合部２２が解除可能に係合する被係合部２８とを有する。【選択図】図５
2005287821.tif 000002
【特許請求の範囲】
【請求項１】
身体対向面及び着衣対向面を有しウエスト開口を画成する第１及び第２ウエスト域と、前記第１及び第２ウエスト域間に延在しこれら域と協働して一対のレッグ開口を画成する股下域と、前記第１及び第２ウエスト域を互いに解除可能に連結する締結手段とを含む着用物品において、
前記締結手段が、前記第１ウエスト域の側部に配置される係合ファスナーと、前記第２ウエスト域の側部における前記着衣対向面に配置される受止ファスナーとからなり、前記係合ファスナーが挿入部と係合部とを有し、前記受止ファスナーが、前記挿入部が出入するポケット部と、前記ポケット部の外面に形成され前記係合部が解除可能に係合する被係合部とを有し、
前記第１及び第２ウエスト域の少なくとも一方には、前記第１及び第２ウエスト域によって画成されるウエスト回り寸法を伸縮可能に調節する弾性手段が配置される
ことを特徴とする前記着用物品。
【請求項２】
前記係合ファスナー及び前記受止ファスナーが、前記弾性手段によって生ずる前記第１及び第２ウエスト域上の弾性伸縮線に沿う域に位置する請求項１に記載の着用物品。
【請求項３】
前記係合部及び前記挿入部が、これらを一体的に形成する剛性パネルを含み、前記挿入部が、前記係合部に対して所与角度で傾斜する請求項１又は2に記載の着用物品。
【請求項４】
前記係合部が、前記係合部のバッキングを形成する前記剛性パネルの部分にシート状バッキングから突出する複数のフックを有するフック部材を接合することで形成される請求項１〜３のいずれかに記載の着用物品。
【請求項５】
前記係合部が、前記係合部のバッキングを形成する前記剛性パネルの部分に、感圧性粘着剤を塗布することで形成される請求項１〜３のいずれかに記載の着用物品。
【請求項６】
前記ポケット部が、これが隣接する前記第２ウエスト域の側部の外方に開口を有するスリーブに形成される請求項１〜５のいずれかに記載の着用物品。
【請求項７】
前記被係合部が、前記スリーブを形成しかつループとなりうる繊維状組織で形成される請求項６に記載の着用物品。
【請求項８】
前記被係合部が、シート状バッキングから隆起する複数のループを有するループ部材を前記スリーブに接合することで形成される請求項６に記載の着用物品。
【請求項９】
テーバー法によって測定された前記挿入部の剛性値が０．０５Ｎ／ｃｍ〜２Ｎ／ｃｍである請求項１〜８のいずれかに記載の着用物品。
【請求項１０】
前記弾性手段が、前記第１ウエスト域の側部から延出する弾性的伸縮性耳フラップであり、前記耳フラップに前記係合ファスナーが配置される請求項１〜９のいずれかに記載の着用物品。
【請求項１１】
前記第１及び第２ウエスト域並びに前記股下域が吸収性シャーシーから形成され、前記シャーシーが、透液性内面シートと、不透液性外面シートと、これら間に介在する吸液性コアとを含む請求項１〜１０のいずれかに記載の着用物品。
【発明の詳細な説明】
【技術分野】
【０００１】
この発明は、排泄物を直接的又は間接的に受容するための、ウエスト締結手段を有する着用物品に関する。さらに詳しくは、特に使い捨ての、おむつ、おむつカバー、トレニングパンツ、失禁パンツなどの着用物品を着用者の身体の適切な部位に保持するため、前記物品の前記ウエストを締結する固定ポイントファスナーを備える該物品に関する。
【背景技術】
【０００２】
従来、固定ポイントファスナー手段が知られている（特許文献１）。このファスナー手段は、中空部を有する第１構成要素と、その中空部に挿入可能な第２構成要素とからなる。中空部の内壁の少なくとも一つは、第２構成要素の少なくとも一つの側と解除可能に係合する面を有する。解除可能に係合する面は、複数のフック又はループを含む。特許文献１によれば、このファスナー手段は、特に吸収性物品に使用すると有利であるとされている。
【０００３】
また、従来、改良されたファスナー手段を有する吸収性物品が知られている（特許文献２）。このファスナー手段は、物品の一方のウエスト域の側縁から互いに面対向するように延出する一対のフラップと、他方のウエスト域の側縁から延出し前記両フラップの間に介在可能な一つのフラップとを含む。一方のウエスト域における両フラップの内面には、複数のフック及び／又はループが、かつ、他方のウエスト域におけるフラップの両面には、前記フック及び／又はループに解除可能に係合する複数のループ及び／又はフックが配置されている。
【特許文献１】ＷＯ  ０２／０５１２７８  Ａ２
【特許文献２】ＷＯ  ０２／１１６５７  Ａ２
【発明の開示】
【発明が解決しようとする課題】
【０００４】
特許文献１に開示されたファスナー手段においては、第１構成要素の中空部に第２構成要素を挿入してそれら要素を結合するところ、第１構成要素の中空部及び第２構成要素はともにフック又はループを有するため、前記挿入に際して、中空部の入口近傍でそれらフックとループとが不用意に係合してしまい、中空部に第２構成要素を充分に挿入することができないことがある。そのため、かかる場合には、使用者が一方の手で中空部を充分に開口させた状態で、これに他方の手で第２構成要素を挿入する、という両方の手を必要とする。
【０００５】
特許文献２に開示されたファスナー手段においては、使用者が両方又は一方の手で一方のウエスト域における両フラップを開き、これら両フラップの間に他方の手で他方のウエスト域におけるフラップを介在させる、という両方の手を必要とするばかりでなく、固定ポイントファスナー手段とは異なり、フックとループとの係合位置決めを必要とし、この点において、ファスナーループにファスナーフックを係合させるときに係合位置決めを必要とする周知のファスナー手段と同じである。
【０００６】
特許文献１に開示されたファスナー手段のように、第２構成要素が第１構成要素の中空部に適切に挿入されなかったり、特許文献２に開示されたファスナー手段のように、係合位置決めを必要とする場合、その位置決めが適切になされなかったりすると、着用物品を着用者の身体の適切な部位に固定することができないことに起因してその物品がずれ下がってしまい、その結果、その物品の脚開口から排泄物が漏れるという問題がある。
【０００７】
この発明は、前記問題にかんがみて、着用物品の前後ウエストを締結するためのファスナー手段の係合操作を片手でもなすことができるとともに、その物品を着用者の身体の適切な部位に固定して、その物品のずれ下がりによる排泄物の漏れを極力防ぐことができる固定ポイントファスナー手段である、ウエスト締結手段を有する着用物品を提供することを課題とする。
【課題を解決するための手段】
【０００８】
この発明に係る締結手段を有する着用物品は、身体対向面及び着衣対向面を有しウエスト開口を画成する第１及び第２ウエスト域と、前記第１及び第２ウエスト域間に延在しこれら域と協働して一対のレッグ開口を画成する股下域と、前記第１及び第２ウエスト域を互いに解除可能に連結する締結手段とを含む。
【０００９】
前記締結手段は、前記第１ウエスト域の側部に配置される係合ファスナーと、前記第２ウエスト域の側部における前記着衣対向面に配置される受止ファスナーとからなる。前記係合ファスナーは挿入部と係合部とを有し、前記受止ファスナーは前記挿入部が出入するポケット部と前記ポケット部の外面に形成され前記係合部が解除可能に係合する被係合部とを有する。
【００１０】
前記第１及び第２ウエスト域の少なくとも一方には、前記第１及び第２ウエスト域によって画成されるウエスト回り寸法を伸縮可能に調節する弾性手段が配置される。
【００１１】
この発明は、下記の好ましい実施態様を含む。
【００１２】
前記係合ファスナー及び前記受止ファスナーは、前記弾性手段によって生ずる前記第１及び第２ウエスト域上の弾性伸縮線に沿う域に位置する。
【００１３】
前記係合部及び前記挿入部は、これらを一体的に形成する剛性パネルを含み、前記挿入部が前記係合部に対して所与角度で傾斜する。
【００１４】
前記係合部は、前記係合部のバッキングを形成する前記剛性パネルの部分にシート状バッキングから突出する複数のフックを有するフック部材を接合することで形成される。
【００１５】
前記係合部は、前記フック部材にかえて、前記係合部のバッキングを形成する前記剛性パネルの部分に、感圧性粘着剤を塗布することで形成される。
【００１６】
前記ポケット部は、これが隣接する前記第２ウエスト域の側部の外方に開口を有するスリーブに形成される。
【００１７】
前記被係合部は、前記スリーブを形成しかつループとなりうる繊維状組織で形成される。
【００１８】
前記被係合部は、前記スリーブの繊維状組織にかえて、シート状バッキングから隆起する複数のループを有するループ部材を前記スリーブに接合することで形成される。
【００１９】
テーバー法によって測定された前記挿入部の剛性値は、０．０５Ｎ／ｃｍ〜２Ｎ／ｃｍである。
【００２０】
前記弾性手段は、前記第１ウエスト域の側部から延出する弾性的伸縮性耳フラップであり、前記耳フラップに前記係合ファスナーが配置される。
【００２１】
前記第１及び第２ウエスト域並びに前記股下域は、吸収性シャーシーから形成される。
【００２２】
前記シャーシーは、透液性内面シートと、不透液性外面シートと、これら間に介在する吸液性コアとを含む。
【発明の効果】
【００２３】
＜請求項１に記載の発明の効果＞
【００２４】
この発明に係るウエスト締結手段を有する着用物品によれば、締結手段としての固定ポイントファスナー手段が係合ファスナーと受止ファスナーとからなり、固定ポイントファスナーであるから、すなわち、受止ファスナーに対して係合ファスナーを係合させるべき位置が固定されているから、その係合の際に位置決めをする必要がない。しかも、着用者又はその補助者（母親、介護人等）は、一方の手で係合ファスナーの挿入部を受止ファスナーのポケットにその開口から挿入し係合ファスナーの係合部を受止ファスナーの被係合部に押し付けることで、係合ファスナーを受止ファスナーに係合させることができる。したがって、例えば、着用者が起立状態で物品を着用するときには、その横臥状態の場合とは異なり、両方の手で係合ファスナーと受止ファスナーとの相対位置を一致させて慎重にそれらを係合させるという煩瑣な操作をする必要がなく、その係合操作がきわめて簡便である。
【００２５】
前述のような係合ファスナーと受止ファスナーとの係合状態で、第１及び第２ウエスト域によって画成されるウエスト回り寸法がそれら域の少なくとも一方に配置される弾性手段で伸縮可能に自然に調節されることと、前記係合操作の簡便と相まって物品の着用操作も簡便である。
【００２６】
さらに、前記固定ポイントファスナー手段によって係合ファスナーと受止ファスナーとの係合位置、ひいては物品の着用者の身体に対する着用状態が正常になるから、物品のずれ下がりに起因する物品のレッグ回りと着用者のレッグとの間に生ずる隙間による排泄物の漏れを防止することができる。
＜請求項２〜１１に記載の発明の効果＞
【００２７】
係合ファスナー及び受止ファスナーが、弾性手段によって生ずる前記第１及び第２ウエスト域上の弾性伸縮線に沿う域に位置する態様（請求項２）によれば、第１及び第２ウエスト域によって画成されるウエスト回り寸法の前記自然調節が適正になされるとともに、その調節のための弾性手段を効果的に利用することができる。
【００２８】
係合部及び挿入部がこれらを一体的に形成する剛性パネルを含み、挿入部が係合部に対して所与角度で傾斜する態様（請求項３）及びポケット部が、これが隣接する第２ウエスト域の側部の外方に開口するスリーブに形成されている態様（請求項６）によれば、係合ファスナーを受止ファスナーに係合させる際、係合部を摘みタブとして利用して挿入部をポケット部に素早く確実に挿入することができるうえ、剛性パネルが着用者の動きに対する変形耐性を有し、剛性パネル、すなわち、係合ファスナーが物品の着用状態における固定支持部となり、そのため、物品の着用状態におけるずれ下がりを防止することができる。
【００２９】
係合部が、係合部のバッキングを形成する剛性パネルの部分に、シート状バッキングから突出する複数のフックを有するフック部材を接合することで形成される態様（請求項４）によれば、フック部材として公知の適当なものを採用することができるうえ、フック部材は比較的高い剛性を有することから、係合部のバッキングであるパネルの部分には、比較的剛性の低いものを採用することができる。
【００３０】
係合部が、係合部のバッキングを形成する剛性パネルの部分に、感圧性粘着剤を塗布することで形成される態様（請求項５）によれば、所定部分に感圧性粘着剤を塗布するだけで係合部を安価に形成することができる。
【００３１】
被係合部が前記スリーブを形成しかつループとなりうる繊維状組織で形成される態様（請求項７）によれば、比較的高価なループ部材を採用する必要がなく、安価に被係合部を形成することができる。
【００３２】
被係合部がシート状バッキングから隆起する複数のループを有するループ部材をスリーブに接合することで形成される態様（請求項８）によれば、スリーブの素材の選択範囲が大きく、その素材としては単にポケット部を形成することができるものであればよい。
【００３３】
テーバー法によって測定された挿入部の剛性値が０．０５Ｎ／ｃｍ〜２Ｎ／ｃｍである態様（請求項９）によれば、ポケット部に対する挿入操作が容易かつ確実で物品の着用状態における着用者に対して剛性による違和感を与えることがない。
【００３４】
弾性手段が、第１ウエスト域の側部から延出する弾性的伸縮性耳フラップであり、耳フラップに係合ファスナーが配置される態様（請求項１０）によれば、第１及び第２ウエスト域によって画成されるウエスト回り寸法の前記自然調節のための手段を簡単かつ安価に提供することができる。
【００３５】
第１及び第２ウエスト域並びに股下域が吸収性シャーシーから形成され、シャーシーが、透液性内面シートと、不透液性外面シートと、これら間に介在する吸液性コアとを含む態様（請求項１１）によれば、体液を吸収保持する物品を提供することができる。
【発明を実施するための最良の形態】
【００３６】
図１及び図２において、この発明の一実施形態に係るオープンタイプの使い捨ておむつを示す。おむつは、吸収性シャーシー１と締結手段２とを含む。シャーシー１は、前側ウエスト域３と、後側ウエスト域４と、これらの間に延在する股下域５とを有する。締結手段２は、後側ウエスト域４の両側部に配置された一対の係合ファスナー６Ａと、前側ウエスト域３の両側部における着衣対向面に配置された一対の受止ファスナー６Ｂとを含む。シャーシー１は、係合ファスナー６Ａを受止ファスナー６Ｂに係合させることによってパンツ型に組み立てられ、その結果、ウエスト開口７と、一対のレッグ開口８とが画成される。
【００３７】
シャーシー１は、透液性内面シート９と、不透液性外面シート１０と、これら間に、好ましくは、間欠的に塗布したホットメルト接着剤（図示せず）を介して固定的に配置された吸液性コア１１と、後側ウエスト域４の両側縁から外方へ延出する一対の伸縮性耳フラップ１９とを含む。内外面シート９、１０は、コア１１の周縁から外方へ延出するサイドフラップ１３及びエンドフラップ１４を有する。
【００３８】
シャーシー１は、ウエスト開口７を画成するエンドフラップ１４に沿って収縮可能に配置されたテープ状弾性部材１５と、レッグ開口８を画成するサイドフラップ１３の外側縁に沿って収縮可能に配置された複数の糸状弾性部材１６とを備える。これら弾性部材は、それらの長さ方向へ伸長下に、サイドフラップ１３及びエンドフラップ１４のそれぞれの内部にホットメルト接着剤（図示せず）を介して固定され、その伸長を解くと、収縮して、該部分にギャザーを形成する。
【００３９】
シャーシー１は、さらにその長さ方向に並行して延在する一対のバリヤカフ１７を含む。バリヤカフ１７は、基縁部１７ａにおいてコア１１の側縁近傍のサイドフラップ１３の上面にホットメルト接着剤又は溶着手（図示せず）を介して固定され、基縁部１７ａからの延長部１７ｂにおいてその長さ方向へ弾性化されている。この弾性化は、末縁部１７ｃに沿って弾性的に伸長下に配置された糸状の少なくとも一条の弾性部材１８によってなされている。
【００４０】
シャーシー１は、さらに一対の伸縮性耳フラップ１９を含む。耳フラップ１９は、後側ウエスト域４の両側部にホットメルト接着剤又は溶着手段（図示せず）を介してそれぞれ接合された基端部１９ａと、これからの延出部１９ｂとを含む。一対の耳フラップ１９がそれらの弾性に抗して外方へ引っ張られると、それら間を結ぶ後側ウエスト４の域には、弾性的伸縮域が形成され、この域が着用者の身体に弾性的に接触する。
【００４１】
図３において、係合ファスナー６Ａは、耳フラップ１９に固定され、細長い剛性パネルを屈曲することで形成されたバッキング２０ａ，２０ｂを含み、バッキング２０ｂはバッキング２０ａに対して所与角度で傾斜している。この所与角度は、好ましくは、３°〜３０°である。バッキング２０ｂは、バッキング２０ａに対して押圧して接触させることができるとともに、その押圧を解くと弾性復元する。係合ファスナー６Ａの耳フラップ１９に対する固定は、バッキング２０ｂの延長部２０ｃと当て材３０とで耳フラップ１９を挟み、それら間を適宜の接着剤又は溶着手段（図示せず）によって一体的に接合することでなされている。この固定は、その他、ステープル打ちやリベット打ちによってなされてもよい。
【００４２】
係合ファスナー６Ａの一部を形成するバッキング２０ａには、バッキング２１ａから突出する複数のフック２１ｂを有するフック部材２１が適宜の接着剤（図示せず）を介して接合され、これによって係合部２２が形成されている。さらに、係合ファスナー６Ａの一部を形成するバッキング２０ｂには、これと地色の異なる保形材としての平滑なシート部材２３が適宜の接着剤（図示せず）を介して一体的に接合され、これによって挿入部２４が形成されている。
【００４３】
図４において、受止ファスナー６Ｂは、スリーブ２５から形成され、ポケット部２６を有する。ポケット部２６は、隣接する前側フラップ域３の外方へ向って開口している。スリーブ２５は、柔軟シートから形成され、前側ウエスト域３の着衣対向面である外面シート１０に接着剤又は溶着手段（図示せず）を介して接合されている。スリーブ２５の上面には、バッキング２７ａから隆起する複数のループ２７ｂを有するループ部材２７が適宜の接着剤（図示せず）を介して接合されている。このループ２７ｂは、スリーブ２５が繊維状又は網状組織である場合には、その組織自体をループとして利用することによっても形成することができる。かくして、スリーブ２５の上面には、前記係合部２２が解除可能に係合する被係合部２８が形成されている。
【００４４】
図５に示すように、前後側ウエスト域３，４の締結は、係合ファスナー６Ａの挿入部２４を受止ファスナー６Ｂのポケット部２６にその入口から挿入するとともに、係合ファスナー６Ａの係合部２２を受止ファスナー６Ｂの被係合部２８に押圧して係合させることによってなされる。挿入部２４のポケット部２６に対する挿入を容易にするためには、挿入部２４は、テーバー法によって測定された剛性値が０．０５Ｎ／ｃｍ〜２Ｎ／ｃｍであることが好ましい。
【００４５】
図示されていないが、係合部２２を形成するためのフック部材２１は、感圧性粘着剤にかえることもできる。感圧性粘着剤を採択した場合には、これを剥離部材で覆うようにされる。係合部２２の外端には摘持用タブが形成されていてもよい。
【００４６】
内面シート９としては、繊維不織布、多孔性プラスチックフィルムなどが、外面シート１０としては、透湿性プラスチックフィルム、これと繊維不織布とのラミネート、コア１１としては、フラッフパルプと高吸収性ポリマー粒子との混合物など、それぞれ公知の使い捨ておむつに慣用されているものを採択することができる。
【００４７】
弾性部材１５，１６，１８としては、天然ゴム、合成ゴム、ウレタンフォームなど、これらもまたそれぞれ公知の使い捨ておむつに慣用されているものを採択することができる。
【００４８】
耳フラップ１９としては、公知の伸縮性不織布を採択することができる。両耳フラップ１９間を結ぶ領域には弾性伸縮域が形成されることは前述したが、この域を形成するためには、耳フラップ１９にかえて、その域に複数条の糸状弾性部材を離間配置したり、所要幅を有する伸縮性不織布を配置したりすることもできる。
【図面の簡単な説明】
【００４９】
【図１】ウエスト域の一側を解放し他側を閉鎖した使い捨ておむつの部分破断斜視図。
【図２】前記おむつの内面からみた展開斜視図。
【図３】図１の３−３線断面図。
【図４】図１の４−４線断面図。
【図５】図１の５−５線断面図。
【符号の説明】
【００５０】
１    シャーシー
２    締結手段
３    前側ウエスト域
４    後側ウエスト域
５    股下域
６Ａ    係合ファスナー
６Ｂ    受止ファスナー
７    ウエスト開口
８    レッグ開口
９    内面シート
１０    外面シート
１１    コア
１９    耳フラップ
２０ａ，２０ｂ    バッキング
２１    フック部材
２２    係合部
２４    挿入部
２５    スリーブ
２６    ポケット部
２８    被係合部
【図１】
2005287821.tif 000003
【図２】
2005287821.tif 000004
【図３】
2005287821.tif 000005
【図４】
2005287821.tif 000006
【図５】
2005287821.tif 000007